(57)【要約】【課題】メダルを短時間で安定して積み上げることができるメダル積み上げ器を提供することである。【解決手段】床面上に載置される支持具１に設けた垂直な案内軸２に、複数のメダル孔３を設けたメダルセット板４を、昇降自在かつ回転自在に装着して、各メダル孔３を案内軸２の周りで同心円上に配列し、昇降するメダルセット板４を水平面内で回転移動させて、下段側のメダル上に各メダル孔３を下段側のメダルの位置とずらしてセットし、各メダル孔３にメダルを嵌め込むことにより、メダルを短時間で安定して積み上げることができるようにした。【選択図】図１
2005080896.tif 000002
【特許請求の範囲】
【請求項１】
メダルを積み上げる床面上に載置される支持具に、水平面内でメダルが嵌まり込む複数のメダル孔を設けたメダルセット板を昇降自在に装着し、このメダルセット板を水平面内で回転方向または直線方向に水平移動させる手段を設けて、前記複数のメダル孔をこのメダルセット板の水平移動方向に配列し、前記メダルセット板の水平移動方向に下段側のメダルと位置をずらして、前記床面上に複数のメダルを積み上げるようにしたメダル積み上げ器。
【請求項２】
前記メダルセット板の水平移動位置を位置決めする手段を設けた請求項１に記載のメダル積み上げ器。
【請求項３】
前記メダルセット板の水平移動方向に配列したメダル孔を、その配列方向と直角方向に位置をずらして設けた請求項１または２に記載のメダル積み上げ器。
【発明の詳細な説明】
【技術分野】
【０００１】
本発明は、メダル落としゲーム機のテーブル等の床面に、メダルを積み上げるメダル積み上げ器に関するものである。
【背景技術】
【０００２】
メダル落としゲーム機（例えば、特許文献１参照。）等では、見栄えやゲームの面白さを増すために、メダルをテーブル等の床面に積み上げてディスプレイすることがある。このメダル積み上げの水平面内での配列形状は環状、円弧状、直線状等に様々であり、通常、メダルは下段側のメダルと配列方向に少しずつ位置をずらして積み上げられている。１つの配列におけるメダルの積み上げ個数は１００枚以上になることもあり、従来は、人がメダルを１枚ずつ手で持って積み上げている。
【０００３】
【特許文献１】特開平８−２２９２３２号公報（第２頁）
【発明の開示】
【発明が解決しようとする課題】
【０００４】
上述した人がメダルを１枚ずつ手で持って積み上げる従来のメダルの積み上げ作業は、多数のメダルを積み上げるのに非常に時間がかかる問題がある。また、細かい単調な作業の繰り返しで、神経が苛立ったり、手の筋肉が緊張や麻痺したりして手元が不安定になり、途中まで積み上げたメダルを崩してしまうことも多い。
【０００５】
そこで、本発明の課題は、メダルを短時間で安定して積み上げることができるメダル積み上げ器を提供することである。
【課題を解決するための手段】
【０００６】
上記の課題を解決するために、本発明のメダル積み上げ器は、メダルを積み上げる床面上に載置される支持具に、水平面内でメダルが嵌まり込む複数のメダル孔を設けたメダルセット板を昇降自在に装着し、このメダルセット板を水平面内で回転方向または直線方向に水平移動させる手段を設けて、前記複数のメダル孔をこのメダルセット板の水平移動方向に配列し、前記メダルセット板の水平移動方向に下段側のメダルと位置をずらして、前記床面上に複数のメダルを積み上げる構成を採用した。
【０００７】
すなわち、床面上に載置される支持具に、複数のメダル孔を設けたメダルセット板を昇降自在に装着し、このメダルセット板を水平面内で回転方向または直線方向に水平移動させる手段を設けて、複数のメダル孔をこの水平移動方向に配列することにより、昇降するメダルセット板を水平移動させて、下段側のメダル上に各メダル孔を下段側のメダルの位置とずらしてセットし、このセットしたメダルセット板の各メダル孔にメダルを嵌め込むようにして、メダルを短時間で安定して積み上げることができるようにした。
【０００８】
前記メダルセット板の水平移動位置を位置決めする手段を設けることにより、積み上げるメダルの下段側のメダルとの配列方向での位置ずれ量を正確にセットすることができ、ディスプレイの見栄えをよくすることができる。
【０００９】
前記メダルセット板の水平移動方向に配列したメダル孔を、その配列方向と直角方向に位置をずらして設けることにより、積み上げるメダルを配列方向と直角方向にも位置をずらし、メダルをより多彩にディスプレイすることができる。
【発明の効果】
【００１０】
本発明のメダル積み上げ器は、床面上に載置される支持具に、複数のメダル孔を設けたメダルセット板を昇降自在に装着し、このメダルセット板を水平面内で回転方向または直線方向に水平移動させる手段を設けて、複数のメダル孔をこの水平移動方向に配列することにより、昇降するメダルセット板を水平移動させて、下段側のメダル上に各メダル孔を下段側のメダルの位置とずらしてセットし、このセットしたメダルセット板の各メダル孔にメダルを嵌め込むようにしたので、メダルを短時間で安定して積み上げることができる。
【００１１】
また、前記メダルセット板の水平移動位置を位置決めする手段を設けることにより、積み上げるメダルの下段側のメダルとの配列方向での位置ずれ量を正確にセットすることができ、ディスプレイの見栄えをよくすることができる。
【００１２】
さらに、前記メダルセット板の水平移動方向に配列したメダル孔を、その配列方向と直角方向に位置をずらして設けることにより、積み上げるメダルを配列方向と直角方向にも位置をずらし、メダルをより多彩にディスプレイすることができる。
【発明を実施するための最良の形態】
【００１３】
以下、図１乃至図１３に基づき、本発明の実施形態を説明する。図１乃至図５は、第１の実施形態である。このメダル積み上げ器は、図１および図２に示すように、メダルＡを積み上げる床面上に載置される支持具１に垂直な案内軸２を設け、メダルＡが嵌まり込む５つのメダル孔３を設けたメダルセット板４を、案内軸２に昇降自在かつ回転自在に装着したものであり、各メダル孔３は案内軸２の周りで同心円上に配列されている。
【００１４】
前記支持具１は、床面上に載置される台座５に天板６を２本の柱７で連結し、天板６の前方への張り出し部に案内軸２を床面まで垂下したものである。
【００１５】
前記メダルセット板４は、図３（ａ）に示すように、中心部に案内リング８が取り付けられ、この案内リング８が案内軸２にスライド自在かつ回転自在に嵌め込まれて、メダルセット板４が案内軸２に沿って昇降するとともに、案内軸２の回りに回転移動するようになっている。案内リング８は、案内軸２の下端にねじ止めされたワッシャ９で抜け止めされている。
【００１６】
前記メダルセット板４は、メダルＡとほぼ等しい厚みに形成され、各メダル孔３に１枚ずつのメダルＡが嵌め込まれる。図３（ｂ）はスペアのメダルセット板４ａを示す。このメダルセット板４ａはメダルＡの３倍の厚みに形成され、各メダル孔３に３枚ずつのメダルＡが嵌め込まれる。各メダルセット板４、４ａは、ワッシャ９を取り外すことにより簡単に交換でき、後述するように、メダルセット板４を用いる場合は、１段毎に１枚ずつのメダルＡが積み上げられ、メダルセット板４ａを用いる場合は、１段毎に３枚ずつのメダルＡが積み上げられる。
【００１７】
なお、前記メダルセット板４をスペア式とする替りに、メダルセット板４の各メダル孔３に、内径がメダルＡの外径より少し大きいパイプを交換可能に嵌め込むようにし、このメダル孔３に嵌め込むパイプの長さを変えて、１段毎に積み上げるメダルＡの枚数を変更するようにしてもよい。さらに、各パイプの上端にメダルセット板４の上板を嵌め込み、この上板に沿わせて、メダルＡを各パイプに嵌め込むようにしてもよい。
【００１８】
図４は、前記メダルセット板４を用いてメダルＡを積み上げる状態を示す。この実施形態では、図４（ａ）に示すように、１段に５枚のメダルＡが環状に配列され、その上に５枚ずつのメダルＡが周方向位置を千鳥状にずらして積み上げられる。案内軸２はメダルＡの環状配列の中心に垂下され、昇降するメダルセット板４が、積み上げられた最上段のメダルＡ配列の上にセットされて、つぎに積み上げられるメダルＡが各メダル孔３に嵌め込まれる。このとき、図４（ｂ）に示すように、メダルセット板４は各段の積み上げ毎に正逆方向へ回転移動させてセットされ、各メダル孔３の位置が下段側のメダルＡの周方向位置とずらされる。
【００１９】
図５は、上述した環状配列のメダルＡをメダル落としゲーム機の固定テーブル１０（床面）に積み上げた状態を示す。このメダル落としゲーム機は、固定テーブル１０の奥側で移動テーブル１１を進退させ、樋１２から投入されて散在するメダルＡを、固定テーブル１０の前面側に設けられたポケット１３に落とし込むものである。環状配列で積み上げられたメダルＡの山は、移動テーブル１１で押し出される固定テーブル１０上のメダルＡによって徐々に変形し、この山の一部または全部が崩れると、一度に多量のメダルＡがポケット１３に落下する。
【００２０】
図６乃至図８は、第２の実施形態である。このメダル積み上げ器は、床面上に載置される支持具１の構成は第１の実施形態のものと同じであり、図６および図７に示すように、メダルセット板１４の形態のみが異なる。このメダルセット板１４は、支持具１の案内軸２の周りの前面側に、５つのメダル孔３が円弧状に配列され、案内軸２の後面側に、支持具１の一方の柱７に係止される２つの爪１５が設けられている。また、メダルセット板１４は、第１の実施形態のものと同様の案内リング８が取り付けられ、案内軸２に沿って昇降するとともに、案内軸２の回りに回転移動するようになっている。各爪１５は、回転移動されるメダルセット板１４の回転位置を正逆両方向で位置決めする。
【００２１】
この実施形態では、図８に示すように、１段に５枚のメダルＡが円弧状に配列され、その上に５枚ずつのメダルＡが周方向位置を千鳥状にずらして積み上げられる。メダルセット板１４は、第１の実施形態と同様に、積み上げられた最上段のメダルＡ配列の上に、各メダル孔３の位置を下段側のメダルＡの周方向位置とずらしてセットされ、つぎに積み上げられるメダルＡが各メダル孔３に嵌め込まれる。
【００２２】
上述した第１および第２の実施形態では、各メダルセット板におけるメダル孔の環状や円弧状の配列中心を、回転中心となる案内軸と合致させたが、これらの配列中心は回転中心とずらしてもよい。配列中心を回転中心とずらした場合は、積み上げられるメダルを周方向のみでなく、半径方向にもずらすことができる。
【００２３】
図９乃至図１２は、第３の実施形態である。このメダル積み上げ器は、図９および図１０に示すように、床面上に載置される支持具１６が、台座１７に天板１８を２本の柱１９で連結して、天板１８の後方への張り出し部に案内軸２０を垂下するように形成されており、Ｔ字形の昇降板２１が、後方へ張り出すＴ字基部に取り付けられた案内リング２２で案内軸２０にスライド自在に装着されている。この昇降板２１は、Ｔ字左右端部に設けられた凹部２３を左右の柱１９に係止されて回り止めされるとともに、案内軸２０の下端部に取り付けられたストッパ２４で抜け止めされている。
【００２４】
前記昇降板２１の前面側上面には、スペーサ２５を介してねじ止めされた押さえ板２６との間に、スライド板２７が左右へスライド自在に挟持されており、さらに、このスライド板２７の前面側下面に、高さ調整ブロック２８を介してメダルセット板２９が取り付けられている。スライド板２７は、スペーサ２５が嵌まり込んで案内される横長の案内孔３０が設けられており、この案内孔３０の左右端がスペーサ２５に係止されて、左右へのスライド位置を位置決めされるようになっている。また、高さ調整ブロック２８は、昇降板２１が台座１７と案内軸２０のストッパ２４に当たる下限まで下降したときに、メダルセット板２９が床面に接地されるように高さを調整されている。
【００２５】
前記メダルセット板２９は、メダルＡが嵌め込まれる５つのメダル孔３１が左右方向に配列されている。これらのメダル孔３１は、前後方向にも千鳥状に位置をずらして設けられている。
【００２６】
この実施形態では、図１１に示すように、前記昇降板２１を昇降させるとともに、スライド板２７を左右にスライドさせることにより、メダルセット板２９が水平面内で左右に直線移動して位置決めされる。したがって、図１２に示すように、１段に５枚のメダルＡが左右に直線状で前後に千鳥状にずらして配列され、その上に４枚または５枚ずつのメダルＡが左右方向と前後方向の位置をずらして積み上げられる。
【００２７】
また、上述した各実施形態では、メダルセット板における環状、円弧状および直線状のメダル孔の配列を１列としたが、これらのメダル孔の配列を複数列とし、メダルを複数列に積み上げることもできる。
【図面の簡単な説明】
【００２８】
【図１】第１の実施形態のメダル積み上げ器を示す外観斜視図
【図２】図１の一部切欠き側面図
【図３】ａ、ｂは、それぞれ図１の案内軸に装着されるメダルセット板を示す縦断面図
【図４】ａは図１のメダル積み上げ器でメダルを積み上げる状態を示す斜視図、ｂはａの平面図
【図５】メダル落としゲーム機の固定テーブルにメダルを積み上げた状態を示す斜視図
【図６】第２の実施形態のメダル積み上げ器を示す平面図
【図７】図６のメダルセット板を回転移動させた状態を示す平面図
【図８】図６のメダル積み上げ器で積み上げられたメダルを示す斜視図
【図９】第３の実施形態のメダル積み上げ器を示す切欠き平面図
【図１０】図９の一部切欠き側面図
【図１１】図９のメダル積み上げ器でメダルを積み上げる状態を示す切欠き平面図
【図１２】図９のメダル積み上げ器で積み上げられたメダルを示す平面図
【符号の説明】
【００２９】
１  支持具
２  案内軸
３  メダル孔
４、４ａ  メダルセット板
５  台座
６  天板
７  柱
８  案内リング
９  ワッシャ
１０  固定テーブル
１１  移動テーブル
１２  樋
１３  ポケット
１４  メダルセット板
１５  爪
１６  支持具
１７  台座
１８  天板
１９  柱
２０  案内軸
２１  昇降板
２２  案内リング
２３  凹部
２４  ストッパ
２５  スペーサ
２６  押さえ板
２７  スライド板
２８  高さ調整ブロック
２９  メダルセット板
３０  案内孔
３１  メダル孔
【図１】
2005080896.tif 000003
【図２】
2005080896.tif 000004
【図３】
2005080896.tif 000005
【図４】
2005080896.tif 000006
【図５】
2005080896.tif 000007
【図６】
2005080896.tif 000008
【図７】
2005080896.tif 000009
【図８】
2005080896.tif 000010
【図９】
2005080896.tif 000011
【図１０】
2005080896.tif 000012
【図１１】
2005080896.tif 000013
【図１２】
2005080896.tif 000014